(57)【要約】【課題】水溶液容器一体型イオン導入器において、衛生的でかつ必要なときには容易にイオン導入器の液塗布部（電極端子部）に有効成分を含む水溶液を送り込める構造を実現する。【解決手段】水溶液Ｗが満たされたボトル２０の開口部に、手動式ポンプ２１で液を噴出させるノズル２４、ボトル内の水溶液Ｗをノズル２４に移送する導管２２を接合し、ノズル２４から噴出した水溶液Ｆが直接、液塗布部１０へ到達するように構成することにより、手動ポンプ２１を操作するだけで液塗布部１０を水溶液Ｗで潤った状態にでき、より手軽にイオン導入作業が行えるようにした。【選択図】  図１
2005152562.tif 000002
【特許請求の範囲】
【請求項１】
化粧液や薬液等の水溶液が入った液容器部と、皮膚表面に当該水溶液を塗布する役割の液塗布部と、第一の電極は当該液塗布部に接触し、第二の電極は当該イオン導入器の外面で持ち手が接触可能な適所に取り付けられた、陰陽２つの電極を有する電気回路及び当該電気回路に電流を流す為の電池が組み込まれたイオン導入回路部、から構成され、当該液容器部の開口部に、水溶液を汲み上げ噴出する液噴出装置と、液容器底部から水溶液を汲み上げ当該液噴出装置へ水溶液を導く導管を有し、当該液塗布部が当該液噴出装置から噴出した水溶液を受け止めるような位置に存在する、ことを特徴とする水溶液容器一体型イオン導入器。
【発明の詳細な説明】
【発明の詳細な説明】
【技術分野】
【０００１】本願発明は、化粧液や薬液等の水溶液中の有効成分をイオン化し外部から皮膚内に浸透させるためのイオン導入器に関する。
【発明の背景】
【０００２】化粧液を皮膚に塗布する美容行為や薬液を皮膚に塗布する治療行為が一般的に見られるが、水溶液（以下では水溶性物質について述べるので、化粧液や薬液を総称して水溶液と呼ぶ）を単に皮膚に塗布しただけでは、水溶液中の有効成分は、人間の皮膚の一番外側の角質層とその内側の顆粒層に阻まれ、ほとんど皮膚内部に吸収されない。なぜなら、角質層はＰＨ４．５〜６．５の酸性である一方、顆粒層はＰＨ７．２〜７．３のアルカリ性に保たれており、このＰＨの違いによる電位差により２つの層の間に電気的な障壁（バリアゾーン）を形成し、水分および（水溶液中ではイオン化している）水溶性物質の層間の移動を抑制しているからである。
【０００３】ここで人体に電流が流れることを利用し、水溶液を皮膚表面に塗布した状態で電気回路の陽極を当該水溶液に接触させ、陰極を離間させた位置の皮膚（例えば器具を持つ手）に接触させれば、両電極間の電位差により体内に微弱な電流が流れる。このとき陽極に引き寄せられ角質層に−イオン（ＯＨ−）が増えるので、角質層のＰＨがアルカリ側に傾き、イオンをバリアする力が弱まる。この結果、有効成分は角質層と顆粒層の間のバリアゾーンを通過し、皮膚の深部で吸収されるようになる。このような水溶性物質を電気の力で皮膚表面から皮膚の深部へ送り込む手法を「イオン導入法」と呼び、以前から皮膚科などの医療機関で利用されている。
【０００４】近年では、医療機関だけではなく、エステティックサロンなどが美容目的に利用するようになり、美容分野でもその有効性が評価されるようになった。更にここ数年、一般消費者が家庭において手軽にイオン導入ができるようハンディタイプのイオン導入器が数多く開発され利用されている。
【背景技術】
【０００５】従来の水溶液容器一体型イオン導入器では、水溶液容器をイオン導入回路部とは別に単体で保管・供給している状態において、液容器の開口部をキャップ等で水溶液が変質しないように密封している。そしてイオン導入回路部と接合し一体化する段階で、イオン導入回路部側の液塗布部へ水溶液が供給されるように、液容器の密封蓋を取り、液容器の開口部に液体が浸透可能な海綿繊維（スポンジ）で出来た浸透キャップを装着といった作業が必要であった。一体化状態では浸透キャップと液塗布部は接触しており、美容（治療）作業中は自然と本体を傾ける姿勢を取るので液塗布部および浸透キャップは水溶液が十分に浸透した状態になり、肌に適量の溶液を塗布しながらイオン導入法を実行することが可能である。
【発明が解決しようとする課題】
【０００６】しかし美容（治療）が終わった後は、当該浸透キャップに残留した水溶液の成分が腐敗したり結晶化する恐れがある為、浸透キャップを取り外し、水洗浄したのち乾燥させて衛生的に保管・再装着しておくという作業を使用者にさせなくてはならなかった。また液塗布部にコットンなどの海綿繊維を使用している場合は、イオン導入をする度に新しいものに交換するか、浸透キャップ同様、取り外し・水洗浄・乾燥をしたのち再装着する必要があった。
【０００７】浸透キャップの着脱の際には液容器の開口部や浸透キャップに何度も素手で触ることになり、この点からも不衛生になり易い。
【０００８】また従来の水溶液容器一体型イオン導入器では、ヘッド部分への水溶液の水圧のかかり具合によって水溶液の流出速度が変化しやすいという問題があった。つまり、水溶液容器一体型イオン導入器を立てて用いたときはヘッド部分に水圧がかからないため流出液量が少なく、水平または逆さにして用いたときは容器内の水溶液残量によって水圧がさまざまにかかるため液量が安定しないという問題があった。
【０００９】一方、水溶液の性質によっては浸透力が弱い場合があり、指で浸透キャップに圧力を加えることで強制的に液を染み出させる必要があった。
【００１０】本願発明では、上記の問題点に鑑み、水溶液容器とイオン導入装置部が一体になった水溶液容器一体型イオン導入器において、衛生的でかつ必要なときには容易にイオン導入器の液塗布部（電極端子部）に一定量の水溶液を送り込める構造を実現する。
【課題を解決するための手段】
【００１１】本願発明は、上記課題を解決するための手段として次の構成を有する。
【００１２】即ち、本願発明のイオン導入器は、化粧液や薬液等の水溶液が入った液容器部と、１つ目の電極は液塗布部に接触し、２つ目の電極は当該イオン導入器の外面で持ち手が接触可能な適所に取り付けられた、陰陽２つの電極を有する電気回路及び当該電気回路に電流を流す為の電池が組み込まれたイオン導入回路部からなる水溶液容器一体型イオン導入器であり、当該液容器部の開口部に、水溶液を汲み上げ噴出する液噴出装置と、液容器底部から水溶液を汲み上げ当該液噴出装置へ水溶液を導く導管を有し、当該イオン導入回路部には当該液噴出装置から噴出した水溶液を受け止め皮膚表面に塗布する役割の液塗布部を有する。
【００１３】具体的には液噴出装置として、手動式ポンプまたは手動式噴霧器を使用する方法がある。こうした使用者の明示的操作に拠らなければ液が流出しない装置を水溶液容器の開口部に取り付けることで、容器内に残留した水溶液の水圧がヘッド部分に直接かからなくなり、塗布部へ送られる液量が使用者の意図通りに制御できようになる。
【００１４】液噴出装置の他の構成法としては、液容器上部に水溶液を汲み上げる導管とは別に空気流入口を用意し、空気流入口に接続された手動式ポンプで空気を液容器内に送り込むことで液容器内の気圧を上げて液を押し出すという方法が考えられる。
【００１５】また液容器内の気圧を高める方式としては、液容器を変形可能な合成樹脂により中空成形したものを採用し、手で容器側部等を押す込むことにより容器内部の体積を減少させ液を押し出す方法がある。この場合、合成樹脂は十分な形状復元力を有している必要がある。また容器の一部にゴムで成型された押しボタン部を用意し、当該押しボタン部を押すことで容器内の圧力を高め液を噴出させる方法がある。前述２方式を採用する場合は、液容器上部に逆流止めされた空気取り入れ孔を用意する必要がある。
【００１６】液を噴出する方法としてガス充填式スプレーの採用も考えられるが、イオン導入法では塗布部に適度に水溶液が供給されていればいいので、１回の噴出量が少量で十分なことを考えると目的に適さない。
【００１７】導管の材質として湾曲可能な合成樹脂を使用し、導管の先端（液容器底部に接触する部分）に重り付き液取り入れ口を装着すれば、イオン導入器本体の姿勢に拘らず、常に導管先端が水溶液中に存在することになり、導入作業中の姿勢のまま手軽に浸透液を増やすことができる。
【００１８】同様に本体を傾けたり、逆さの状態で液をスムーズに噴出させる方法としては、液取り入れ口を導管の先端だけでなく根元（液容器上部）に設置する方法がある。根元の取り入れ口は逆流防止にしておき、正立状態では事実上塞がっている状態にしなくてはならない。
【００１９】いづれの方式を採用するにしても、導管は空気が入って液が逆流しない程度に細くしておく必要がある。
【００２０】液噴出部のノズルは液の撒布角度を調整し、液が塗布部のスポンジ材に満遍なく染み込むようにする。必要以上に拡散すると、液垂れの原因になるので注意する。
【発明の効果】
【００２１】本願発明によると、次のような効果を得られる。
【００２２】手動式ポンプまたは手動式噴霧器を採用した場合、１回の押しボタン操作で塗布部に供給される液量はポンプ室の容積に依存し一定量となる。また直接水圧がヘッド部分にかからず、使用者が必要とした時点で必要とした量だけを液塗布部に供給できるので、水溶液をより効率的に利用できる。
【００２３】浸透キャップを無くすることができるので、イオン導入作業後の後始末が簡便になる。またボトルを一度装着すれば、水溶液を使い果たすまで取り外す必要がなくなる。
【００２４】浸透キャップが無くなることで、浸透キャップのスポンジ材に残留した水溶液が腐敗したり結晶化することがなくなる。また液容器の開口部を素手で触ることがなくなるので、衛生的である。
【発明を実施するための最良の形態】
【００２５】以下に図１を参照して実施の一形態を示す。ここでは美容目的のイオン導入器を想定して説明を行う。【００２６】この実施例のイオン導入器Ａは、大きく見て、イオン導入に必要な電気回路を納めたイオン導入回路部１と、水溶液Ｗで満たされた液容器部２という着脱可能な２つの部位から構成されている。【００２７】液容器部２は、水溶液Ｗが満たされた水溶液ボトル２０の開口部にボトル蓋を兼ねた手動式ポンプ２１が螺合され密封された状態となっている。手動式ポンプ２１は水溶液を噴出するノズル２４、手動式ポンプを動作させ水溶液を汲み上げる為の押しボタンである内ボタン２３、ボトル底部から水溶液を吸い上げポンプ先端のノズル２４へ移送する役割を担う導管２２が接合され液噴出部として機能する。内ボタン２３を押すと、水溶液Ｗはノズルより勢い良く垂直に噴き上がる。この実施例では水溶液ボトル２０は合成樹脂材で中空成形したものを使用している。ボトル２０は硝子瓶で成型してもよいが、手動ポンプ部分を残し、水溶液ボトルだけを密閉蓋で封した状態で追加供給する流通形態を考えると合成樹脂の方が軽くて扱い易い。また水溶液を使い果たしたときに水溶液だけ補充する方式にすることを考え、水溶液ボトル２０と手動式ポンプ２１はねじ込み式にして着脱可能かつ高密着な構造を採用する。【００２８】イオン導入回路部１は、イオン導入に必要な電気回路である基盤１３及び、それを駆動する為の電池１４と陰陽２つの電極が接続され、ハウジング１９の内部に組み込まれている。電池は大きな起電力を必要としないので、小型のボタン電池で十分である。この例では電池として３Ｖのコイン型リチウム電池を使用しているが、これはほかの電池や家庭用電源でもよい。また、電圧調整のための変圧器を基盤１３に内蔵して電圧を調整できるようにするとなお良い。【００２９】陰陽２つの電極１１、１２には電極板が接続され接触面積を増やすようになっている。以下では電極板のことを単に電極と呼ぶ。【００３０】一方の電極１１はハウジング１９の上面に設置されており、その電極１１の上面に交換式のスポンジ材（コットン）１０で被覆した状態で使用する。電極１１によりノズル２４から噴出した水溶液Ｆを遮ってしまわないように電極１１はドーナツ型の形状をしている。スポンジ材１０は保水性を有しており、水溶液Ｆが浸透した結果、電流を通す状態になり、スポンジ材１０を施術箇所の肌（皮膚）に這わすことで、水溶液の塗布とイオン導入が同時進行的に行われる。即ち、スポンジ材１０の部分が液塗布部３となり、かつ皮膚と電極１１の間接接触を助ける役割をしている。【００３１】もう一方の電極１２はハウジング１９の外側に配し、イオン導入器を手で握れば自然と手指に接触するようにハウジング外周を覆う形にするのが良い。【００３２】このように電気回路の一方の電極を水溶液が含浸したスポンジ材１０を介して間接的に肌に接触させ、もう一方の電極をイオン導入器Ａを握る手に接触させることにより、人体を介して電気回路に微弱電流が流れ、液塗布部２に接触する側の電極を＋極、一方のハウジング外側の電極を−極とすると、液塗布部２から肌に塗布された水溶液中の有効成分イオン（＋イオン）が、皮膚の角質層及びバリアゾーンを透過し真皮層へ押し込まれる。【００３３】この実施例のイオン導入器Ａでは、手動式ポンプ２１の内ボタン２３がハウジング内部に隠れてしまう為、外ボタン１５に接合されたブランジャ１６とその先端のストッパー兼押し板１８により外ボタン１５の押下で間接的に内ボタン２３を操作する形態を採用している。ハウジング１９と外ボタン１５に挟まる形で圧縮コイルばね１７をブランジャ１６に通しておくことで、一度押し込んだ外ボタン１５は圧縮コインばね１７の反発力で元の押し込む前の状態へ自動的に復元し、繰り返し押下することが可能になっている。また、このような仕掛けを有効に働かす為、ハウジング１９とボトル２０の接合部分はねじ込み式ではなく、はめ込み式にして接合方向を固定する必要がある。【００３４】なおこの例では、電気極性は固定であるが、使用する水溶液Ｗの種類によっては有効成分のイオン極性（＋または−）が逆になることがある。そこで、水溶液ボトル２０を水溶液の成分別に複数用意し、その有効成分の性質に合わせて、電極の陰陽を逆にしても良い。電流の向きを変えるには電池の装着方向を逆にしても良いが、基盤１３に切替スイッチを接続し、そのスイッチの操作で極性を切り替える方がスマートである。
【図面の簡単な説明】
【００３５】
【図１】本願発明の実施例を表す断面図である。
【符号の説明】
Ｗ  水溶液
Ｆ  噴出液
Ａ  イオン導入器
１  イオン導入回路部
２  液容器部
３  液塗布部
１０  スポンジ材（コットン）
１１  電極Ａ
１２  電極Ｂ
１３  基盤
１４  電池
１５  外ボタン
１６  ブランジャ
１７  圧縮コイルばね
１８  ストッパー兼押し板
１９  ハウジング
２０  水溶液ボトル
２１  手動式ポンプ兼ボトル蓋
２２  導管
２３  内ボタン
２４  ノズル
【図１】
2005152562.tif 000003